(57)【特許請求の範囲】
【請求項１】
再印刷を指示するホストコンピュータと、出力デバイスと接続された印刷サーバと、再印刷用にジョブチケット及び印刷データから構成される印刷情報を保持する文書管理サーバと、通信可能な情報処理装置であって、
前記文書管理サーバから再印刷用に選択された印刷情報を受信する受信手段と、
前記印刷サーバと接続された出力デバイスの識別情報を、前記印刷サーバを介して取得する取得手段と、
前記受信手段により受信された印刷情報に含まれるジョブチケットに記述された出力デバイスの識別情報が、前記取得手段によって取得された識別情報と一致しているか否かを判断する判断手段と、
前記判断手段により識別情報が一致していると判断された場合には、前記印刷情報に含まれるジョブチケット及び印刷データを用いた印刷処理を実行すべく、前記ジョブチケット及び印刷データを、前記印刷サーバへ送信し、前記判断手段により識別情報が一致していないと判断された場合には、前記印刷処理を実行しないことを示すエラー情報を前記ホストコンピュータへ送信する送信制御手段と、
を備えることを特徴とする情報処理装置。
【請求項２】
前記ジョブチケットは、印刷部数、用紙サイズ、フィニッシング、片面／両面、Ｎｕｍｂｅｒ−Ｕｐ、拡大／縮小、及び印刷ページ指定の少なくとも何れかの指示の情報を含むことを特徴とする請求項１に記載の情報処理装置。
【請求項３】
再印刷を指示するホストコンピュータと、出力デバイスと接続された印刷サーバと、再印刷用にジョブチケット及び印刷データから構成される印刷情報を保持する文書管理サーバと、通信可能な情報処理装置における印刷制御方法であって、
前記文書管理サーバから再印刷用に選択された印刷情報を受信する受信ステップと、
前記印刷サーバと接続された出力デバイスの識別情報を、前記印刷サーバを介して取得する取得ステップと、
前記受信ステップにより受信された印刷情報に含まれるジョブチケットに記述された出力デバイスの識別情報が、前記取得ステップによって取得された識別情報と一致しているか否かを判断する判断ステップと、
前記判断ステップにより識別情報が一致していると判断された場合には、前記印刷情報に含まれるジョブチケット及び印刷データを用いた印刷処理を実行すべく、前記ジョブチケット及び印刷データを、前記印刷サーバへ送信し、前記判断ステップにより識別情報が一致していないと判断された場合には、前記印刷処理を実行しないことを示すエラー情報を前記ホストコンピュータへ送信する送信制御ステップと、
を有することを特徴とする印刷制御方法。
【請求項４】
前記ジョブチケットは、印刷部数、用紙サイズ、フィニッシング、片面／両面、Ｎｕｍｂｅｒ−Ｕｐ、拡大／縮小、及び印刷ページ指定の少なくとも何れかの指示の情報を含むことを特徴とする請求項３に記載の印刷制御方法。
【発明の詳細な説明】
【０００１】
【発明の属する技術分野】
本発明は、情報処理装置及び印刷制御方法に関するものである。
【０００２】
【従来の技術】
例えば、複数の印刷デバイスにおける印刷処理を制御する方法としては、次のような方法（１）〜（４）が挙げられる。
【０００３】
印刷制御方法（１）：
特開平５−２１６６０６号等に記載されているような、ジョブチケットを用いて印刷ファイルを印刷させる方法。
【０００４】
印刷制御方法（２）：
特開２０００１−１２５７５９号等に記載されているような、ユーザ識別情報を指定してシステムにログインすることで印刷デバイスの使用を許可する方法。
【０００５】
印刷制御方法（３）：
印刷ファイル（印刷データ）自体へのオペレータからのアクセスを制限する等の一般的な方法。具体的には例えば、データベースを設け、当該データベースへのアクセスを制限することで、印刷自体の制限を行う。
【０００６】
印刷制御方法（４）：
特開２０００−３３５０５９号等に記載されているような、印刷済みの印刷データに対して、印刷デバイスの名称（プリンタ名）を付加する方法。
【０００７】
【発明が解決しようとする課題】
しかしながら、上述したような従来の印刷制御方法（１）〜（４）では、次のような問題点（１）〜（３）があった。
【０００８】
問題点（１）：
特開平５−２１６６０６号等に記載された従来の構成では、印刷データと印刷指示（ジョブチケット）を分離し、如何なる印刷デバイス（プリンタ）においても、印刷並びに再印刷が可能なデータを用いてシステムを構築しようとした場合、ある特定の条件のデータのみ印刷を制限することが困難であった。
【０００９】
問題点（２）：
印刷データ自体へのオペレータからのアクセスを制限する一般的な従来の構成や、特開２０００１−１２５７５９号等に記載された、印刷デバイスへの使用許可等による制限を設ける従来の構成では、個々の印刷デバイスによって印刷可／不可を制御することはできなかった。また、印刷デバイス自体が、どのような印刷データに対しても出力が可能であったので、一旦印刷データへのアクセスが可能となると、どの印刷デバイスでも印刷が可能となり、印刷物が多様な場所に広まり、印刷データ自体を管理する意味がなくなる等の恐れがあった。
【００１０】
問題点（３）：
特開２０００−３３５０５９号等に記載された従来の構成は、印刷データに対してプリント名を付加し、当該プリンタ名を検索のキーとする再利用システムの構成であり、印刷制限を制御するものではない。
【００１１】
特に、上記に挙げた従来の構成における印刷データは、印刷後の画像データに等しく、他の印刷デバイスで再利用する等の利便性がなかった。
【００１２】
そこで、本発明は、上記の欠点を除去するために成されたもので、個々の印刷デバイスを区別した印刷可／不可等の制御を可能にすることを目的とする。
【００１３】
【課題を解決するための手段】
斯かる目的化において、本発明は、再印刷を指示するホストコンピュータと、出力デバイスと接続された印刷サーバと、再印刷用にジョブチケット及び印刷データから構成される印刷情報を保持する文書管理サーバと、通信可能な情報処理装置であって、前記文書管理サーバから再印刷用に選択された印刷情報を受信する受信手段と、前記印刷サーバと接続された出力デバイスの識別情報を、前記印刷サーバを介して取得する取得手段と、前記受信手段により受信された印刷情報に含まれるジョブチケットに記述された出力デバイスの識別情報が、前記取得手段によって取得された識別情報と一致しているか否かを判断する判断手段と、前記判断手段により識別情報が一致していると判断された場合には、前記印刷情報に含まれるジョブチケット及び印刷データを用いた印刷処理を実行すべく、前記ジョブチケット及び印刷データを、前記印刷サーバへ送信し、前記判断手段により識別情報が一致していないと判断された場合には、前記印刷処理を実行しないことを示すエラー情報を前記ホストコンピュータへ送信する送信制御手段と、を備えることを特徴とする。
【００１４】
また、本発明は、再印刷を指示するホストコンピュータと、出力デバイスと接続された印刷サーバと、再印刷用にジョブチケット及び印刷データから構成される印刷情報を保持する文書管理サーバと、通信可能な情報処理装置における印刷制御方法であって、前記文書管理サーバから再印刷用に選択された印刷情報を受信する受信ステップと、前記印刷サーバと接続された出力デバイスの識別情報を、前記印刷サーバを介して取得する取得ステップと、前記受信ステップにより受信された印刷情報に含まれるジョブチケットに記述された出力デバイスの識別情報が、前記取得ステップによって取得された識別情報と一致しているか否かを判断する判断ステップと、前記判断ステップにより識別情報が一致していると判断された場合には、前記印刷情報に含まれるジョブチケット及び印刷データを用いた印刷処理を実行すべく、前記ジョブチケット及び印刷データを、前記印刷サーバへ送信し、前記判断ステップにより識別情報が一致していないと判断された場合には、前記印刷処理を実行しないことを示すエラー情報を前記ホストコンピュータへ送信する送信制御ステップと、を有することを特徴とする。
【００１９】
【発明の実施の形態】
以下、本発明の実施の形態について図面を用いて説明する。
【００２０】
[第１の実施の形態]
本発明は、例えば、図１に示すような印刷システム１００に適用される。
【００２１】
＜印刷システム１００の構成＞
印刷システム１００は、上記図１に示すように、ホストコンピュータ１１０、印刷集中管理サーバ１２０、印刷サーバ１３０、出力デバイス（印刷デバイス）１４０（ｘ）、及び文書管理サーバ１５０が、ネットワーク等を介して互いに通信可能なように接続された構成としている。
【００２２】
尚、上記図１では、説明の簡単のため、１つの出力デバイス１４０（ｘ）のみを示しているが、これは複数の出力デバイス１４０（１），１４０（２），・・・の中の任意の出力デバイス１４０（ｘ）に相当する。
【００２３】
ホストコンピュータ１１０は、印刷情報入力部１１１、出力デバイスID設定部１１２、及びジョブチケット作成部１１３を含んでいる。
【００２４】
印刷情報入力部１１１は、印刷の原稿となる印刷データや、当該印刷データの加工や、表示、或いは印刷等の印刷指示を含む印刷情報等を入力する。
出力デバイスID設定部１１２は、個々の出力デバイス１４０（ｘ）を区別するための識別情報（出力デバイスＩＤ）を設定する。
ジョブチケット作成部１１３、印刷情報における加工や、表示、或いは印刷等の印刷指示、並びに出力デバイスＩＤ等によりジョブチケットを作成する。
【００２５】
印刷集中管理サーバ１２０は、印刷情報制御部１２１及びジョブチケット編集部１２２を含んでいる。
【００２６】
印刷情報制御部１２１は、ジョブチケット作成部１１３で作成されたジョブチケットと、印刷データとの1セットの印刷情報に基づき、印刷動作を制御する。ジョブチケット編集部１２２は、ジョブチケット作成部１１３で作成されたジョブチケットによる指示の一部分或いは全部に対して、追記や変更等の編集を施す。
【００２７】
印刷サーバ１３０は、出力部情報取得部１３１、印刷指示解釈部１３２、印刷情報加工部１３３、及び印刷情報送信部１３４を含んでいる。
【００２８】
出力部情報取得部１３１は、出力デバイス１４０（ｘ）の動作状況や、その出力デバイスＩＤ等の情報を取得する。
印刷指示解釈部１３２は、ジョブチケット作成部１１３で作成されたジョブチケット、或いはジョブチケット編集部１２２で編集されたジョブチケットを解釈する。
印刷情報加工部１３３は、印刷指示解釈部１３２の解釈結果に基づいて、印刷情報を加工して、その出力の準備を行う。
印刷情報送信部１３４は、印刷情報加工部１３３による加工後の印刷情報を、プリンタ等の出力デバイス１４０（ｘ）に対して送信する。
【００２９】
出力デバイス１４０（ｘ）は、印刷情報出力部１４１を含み、この印刷情報出力部１４１により印刷情報を出力する。
【００３０】
文書管理サーバ１５０は、印刷情報保存管理部１５１及び印刷情報保存部１５２を含んでいる。
【００３１】
印刷情報保存管理部１５１は、印刷情報保存部１５２を管理する。
印刷情報保存部１５２は、ジョブチケットと原稿データを1セットとする印刷情報を保存する。
【００３２】
＜印刷システム１００の動作＞
図２〜図４は、印刷システム１００の動作をフローチャートにより示したものである。
【００３３】
ステップＳ２０１：図２参照
ホストコンピュータ１１０において、印刷情報入力部１１１は、印刷情報として、印刷データ及び印刷指示を入力する。
印刷データとしては、例えば、PDF（Portable  Document  Format）等に従ったデータを適用可能である。印刷指示としては、例えば、部数、用紙サイズ、各種フィニッシング、片面/両面、N-Up、拡大縮小、及び印刷ページ指定等の指示を適用可能である。
【００３４】
ステップＳ２０２：
出力デバイスＩＤ設定部１１２は、出力デバイス１４０（ｘ）のＩＤ（出力デバイスＩＤ）を設定する。
本実施の形態では、出力デバイスＩＤとして、例えば、出力デバイス１４０（ｘ）（プリンタ）がインターネット等のネットワークに接続される際のＩＰアドレスを用いるものとする。
【００３５】
ステップＳ２０３：
ジョブチケット作成部１１３は、印刷情報入力部１１１で入力された印刷指示（部数、用紙サイズ、ステープル、カラー印刷、片面/両面、N-Up、拡大縮小、及び印刷ページ指定等）、及び出力デバイスＩＤ設定部１１２で設定された出力デバイスＩＤに基づいて、ジョブチケットを生成する。
【００３６】
具体的には例えば、図３に示すように、先ず、ジョブチケット作成部１１３は、N-Upや、拡大縮小、用紙サイズ、或いは片面/両面設定等のレイアウト関連の情報をジョブチケットにセットし（ステップＳ３０１：レイアウト設定処理）、印刷部数のセットを行い（ステップＳ３０２：印刷部数設定処理）、印刷ページ範囲をセットし（ステップＳ３０３：印刷ページ範囲指定処理）、ステープル情報をセットし（ステップＳｓ３０４：ステープル設定処理）、出力デバイスのＩＤとしてＩＰアドレスをセットする（ステップＳ３０５：出力デバイスＩＤ設定処理）。
【００３７】
上記のステップＳ３０１〜ステップＳ３０５（ステップＳ２０３）により、例えば、図５に示すようなジョブチケットが生成されることになる。
【００３８】
尚、上記図５は、ＸＭＬ方式に従って、追加描画オブジェクト関連情報のセット結果や印刷指示の一部を設定した場合のジョブチケットの一部分の一例を示したものであり、これに限られることはない。
【００３９】
上述のようにしてホストコンピュータ１１０で生成されたジョブチケットは、印刷集中管理サーバ１２０に対して送出される。
印刷集中管理サーバ１２０において、印刷情報制御部１２１は、ホストコンピュータ１１０から受け取ったジョブチケットに基づき、次のステップＳ２０４からの処理を実行することで、印刷システム１００を制御する。
【００４０】
ステップＳ２０４：
印刷情報制御部１２１は、印刷サーバ１３０により印刷処理が実行されようとしている出力デバイス１４０（ｘ）のＩＤが、ジョブチケット内に保持されている出力デバイスＩＤと一致しているか否かを検査する。
この結果、一致している場合にはステップＳ２０６からの処理に進み、一致していない場合にはステップＳ２０５に進む。
【００４１】
ステップＳ２０５：
ステップＳ２０４の処理の結果、印刷サーバ１３０により印刷処理が実行されようとしている出力デバイス１４０（ｘ）のＩＤが、ジョブチケット内に保持されている出力デバイスＩＤと一致していない場合、印刷情報制御部１２１は、エラー処理を実行する。
本実施の形態では、例えば、印刷情報制御部１２１は、印刷サーバ１３０に対して、ジョブチケット及び印刷データ等は送信せずに、ホストコンピュータ１１０のオペレータ（ユーザ）等に対して、出力デバイスＩＤの不一致のため印刷しない旨を通知する。その後、本処理終了となる。
【００４２】
ステップＳ２０６：
ステップＳ２０４の処理の結果、印刷サーバ１３０により印刷処理が実行されようとしている出力デバイス１４０（ｘ）のＩＤが、ジョブチケット内に保持されている出力デバイスＩＤと一致した場合、印刷情報制御部１２１は、印刷サーバ１３０に対して、プリンタ用印刷情報としてジョブチケット及び印刷データを送信する。
【００４３】
ステップＳ２０７：
印刷サーバ１３０は、印刷集中管理サーバ１２０からのジョブチケット及び印刷データに基づいて、印刷処理を実行する。
【００４４】
具体的には例えば、印刷サーバ１３０は、出力デバイス（プリンタ）毎に、図４に示すような処理を実行する。
すなわち、先ず、印刷指示解釈部１３２は、印刷情報を受信し（ステップＳ４０１）、当該印刷情報に含まれるジョブチケットを解釈する（ステップＳ４０２）。次に、印刷情報加工部１３３は、当該解釈結果に基づいて、上記印刷情報に含まれる印刷データの印刷用描画データへの変換及び加工処理を実行することで、印刷用描画データ及びプリンタ制御データを生成する（ステップＳ４０３）。次に、印刷情報送信部１３４は、上記印刷用描画データ及びプリンタ制御データを出力デバイス１４０（ｘ）に対して送信する（ステップＳ４０４）。これにより、出力デバイス１４０（ｘ）において、印刷情報出力部１４１は、上記印刷用描画データ及びプリンタ制御データに基づいて、出力デバイス１４０（ｘ）であるプリンタによる印刷処理を実行する（ステップＳ４０５）。そして、印刷サーバ１３０において、出力部情報取得部１３１は、出力デバイス１４０（ｘ）での印刷結果の情報を、印刷集中管理サーバ１２０の印刷情報制御部１２１に通知する（ステップＳ４０６）。
【００４５】
ステップＳ２０８〜ステップＳ２１０：
印刷集中管理サーバ１２０において、印刷情報制御部１２１は、印刷サーバ１３１から通知された印刷結果情報を取得すると（ステップＳ２０８）、当該印刷結果情報をジョブチケットに対して追記し（ステップＳ２０９）、これを印刷データと共に印刷情報（印刷データ及びジョブチケットのセット）として文書管理サーバ１５０の印刷情報保存部１５２に保存する（ステップＳ２１０）。その後、本処理終了となる。
【００４６】
図６は、印刷結果にトラブルが無い場合のジョブチケットの一例を示したものである。
【００４７】
[第２の実施の形態]
本実施の形態では、上記図１に示した印刷システム１００において、再印刷処理を実行する場合、印刷システム１００の動作を、例えば、図７のフローチャートに従った動作とする。
【００４８】
ステップＳ５０１：
ユーザは、文書管理サーバ１５０の印刷情報保存部１５２で保存されている印刷情報（印刷データ及びジョブチケットのセット）から、所望の印刷情報を選択する。
【００４９】
ステップＳ５０２：
文書管理サーバ１５０において、印刷情報管理部１５１は、ステップＳ５０１で選択された印刷情報を、印刷集中管理サーバ１２０に対して出力する。
【００５０】
ステップＳ５０３：
印刷集中管理サーバ１２０において、印刷情報制御部１２１は、文書管理サーバ１５０からの印刷情報（印刷データ及びジョブチケットのセット）に含まれるジョブチケットから印刷指示を読み取り、当該印刷指示に基づいて、次のステップＳ５０４からの処理に示されるような印刷システム１００の動作制御を行なう。
【００５１】
ステップＳ５０４：
印刷情報制御部１２１は、印刷サーバ１３０の出力部情報取得部１３１を介して、出力デバイス１４０（ｘ）のＩＤ（出力デバイスＩＤ）を取得する。
【００５２】
ステップＳ５０５：
印刷情報制御部１２１は、ステップＳ５０４で取得した出力デバイス１４０（ｘ）のＩＤが、ジョブチケット内に保持されている出力デバイスＩＤと一致しているか否かを検査する。
この結果、一致している場合にはステップＳ５０７からの処理に進み、一致していない場合にはステップＳ５０６に進む。
【００５３】
ステップＳ５０６：
ステップＳ５０５の処理の結果、ステップＳ５０４で取得した出力デバイス１４０（ｘ）のＩＤが、ジョブチケット内に保持されている出力デバイスＩＤと一致していない場合、印刷情報制御部１２１は、エラー処理を実行する。
本実施の形態では、例えば、印刷情報制御部１２１は、オペレータ（ユーザ）等に対して、出力デバイスＩＤの不一致のため印刷不可である旨を通知する。その後、本処理終了となる。
【００５４】
ステップＳ５０７：
ステップＳ５０５の処理の結果、ステップＳ５０４で取得した出力デバイス１４０（ｘ）のＩＤが、ジョブチケット内に保持されている出力デバイスＩＤと一致している場合、印刷情報制御部１２１は、印刷サーバ１３０に対して、各分散プリンタ用印刷情報としてジョブチケット及び印刷データと共に、直接指示を送信する。
【００５５】
ステップＳ５０８：
印刷サーバ１３０は、上記図４に示したような印刷処理を実行する。
【００５６】
ステップＳ５０９〜ステップＳ５１１：
印刷集中管理サーバ１２０において、印刷情報制御部１２１は、印刷サーバ１３１から通知された印刷結果情報を取得すると（ステップＳ５０９）、当該印刷結果情報をジョブチケットに対して追記し（ステップＳ５１０）、これを印刷データと共に印刷情報（印刷データ及びジョブチケットのセット）として文書管理サーバ１５０の印刷情報保存部１５２に保存する（ステップＳ５１１）。その後、本処理終了となる。
【００５７】
尚、本発明の目的は、第１及び第２の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１及び第２の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１及び第２の実施の形態の機能が実現されるだけでなく、そのプログラムコードの指示に基づき、コンピュータ上で稼動しているＯＳ等が実際の処理の一部又は全部を行い、その処理によって第１及び第２の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１及び第２の実施の形態の機能が実現される場合も含まれることは言うまでもない。
【００５８】
図８は、上記コンピュータの機能６００を示したものである。
コンピュータ機能６００は、上記図８に示すように、ＣＰＵ６０１と、ＲＯＭ６０２と、ＲＡＭ６０３と、キーボード（ＫＢ）６０９のキーボードコントローラ（ＫＢＣ）６０５と、表示部としてのＣＲＴディスプレイ（ＣＲＴ）６１０のＣＲＴコントローラ（ＣＲＴＣ）６０６と、ハードディスク（ＨＤ）６１１及びフレキシブルディスク（ＦＤ）６１２のディスクコントローラ（ＤＫＣ）６０７と、ネットワーク６２０との接続のためのネットワークインターフェースコントローラ（ＮＩＣ）６０８とが、システムバス６０４を介して互いに通信可能に接続された構成としている。
【００５９】
ＣＰＵ６０１は、ＲＯＭ６０２或いはＨＤ６１１に記憶されたソフトウェア、或いはＦＤ６１２より供給されるソフトウェアを実行することで、システムバス６０４に接続された各構成部を総括的に制御する。
すなわち、ＣＰＵ６０１は、所定の処理シーケンスに従った処理プログラムを、ＲＯＭ６０２、或いはＨＤ６１１、或いはＦＤ６１２から読み出して実行することで、第１及び第２の実施の形態での動作を実現するための制御を行う。
【００６０】
ＲＡＭ６０３は、ＣＰＵ６０１の主メモリ或いはワークエリア等として機能する。
ＫＢＣ６０５は、ＫＢ６０９や図示していないポインティングデバイス等からの指示入力を制御する。
ＣＲＴＣ６０６は、ＣＲＴ６１０の表示を制御する。
ＤＫＣ６０７は、ブートプログラム、種々のアプリケーション、編集ファイル、ユーザファイル、ネットワーク管理プログラム、及び第１及び第２の実施の形態における所定の処理プログラム等を記憶するＨＤ６１１及びＦＤ６１２とのアクセスを制御する。
ＮＩＣ６０８は、ネットワーク６２０上の装置或いはシステムと双方向にデータをやりとりする。
以上説明したように本実施形態によれば、任意の出力デバイス（複数のプリンタの中の任意のプリンタ等）により印刷処理を実行するにあたり、出力デバイスの識別情報（ＩＤ）及び指示情報に基づいて、出力デバイスに対するジョブチケットを生成し、当該ジョブチケット及び印刷データに基づいて、出力デバイスによる印刷処理を制御するように構成した。これにより、例えば、次のような効果（１）〜（４）が得られる。
（１）個々の出力デバイスを区別した印刷可／不可等の制御が可能になる。
（２）ジョブチケット及び印刷データを関連付けして（１セットとして）保持するように構成すれば、印刷データ並びに印刷指示を利用して再印刷を行う際でも、個々の出力デバイスを区別した印刷可／不可等の制御が可能になる。
（３）印刷データと印刷指示（ジョブチケット）という、如何なるプリンタにおいても印刷並び再印刷可能なデータを用いてシステムを構築しようとした場合においても、ある特定の条件のデータのみ印刷を制限することが容易になる。
（４）ネットワークにおける印刷の利便性が向上する。
【００６１】
【発明の効果】
以上説明したように本発明によれば、個々の印刷デバイスを区別した印刷可／不可等の制御を可能にすることができる。
【図面の簡単な説明】
【図１】第１の実施の形態において、本発明を適用した印刷システムの構成を示すブロック図である。
【図２】上記印刷システムの動作を説明するためのフローチャートである。
【図３】上記印刷システムの動作において、ジョブチケット作成処理を説明するためのフローチャートである。
【図４】上記印刷システムの動作において、印刷処理を説明するためのフローチャートである。
【図５】上記ジョブチケットを説明するための図である。
【図６】上記印刷処理後の上記ジョブチケットを説明するための図である。
【図７】第２の実施の形態における上記印刷システムの動作を説明するためのフローチャートである。
【図８】上記印刷システムの機能をコンピュータに実現させるためのプログラムをコンピュータ読出可能な記憶媒体から読み出して実行する当該コンピュータの構成を示すブロック図である。
【符号の説明】
１００  印刷システム
１１０  ホストコンピュータ
１１１  印刷情報入力部
１１２  出力デバイスID設定部
１１３  ジョブチケット作成部
１２０  印刷集中管理サーバ
１２１  印刷情報制御部
１２２  ジョブチケット編集部
１３０  印刷サーバ
１３１  出力部情報取得部
１３２  印刷指示解釈部
１３３  印刷情報加工部
１３４  印刷情報送信部
１４０（ｘ）  出力デバイス（印刷デバイス）
１４１  印刷情報出力部
１５０  文書管理サーバ１５０
１５１  印刷情報保存管理部
１５２  印刷情報保存部
【図１】
0004047059.tif 000002
【図２】
0004047059.tif 000003
【図３】
0004047059.tif 000004
【図４】
0004047059.tif 000005
【図５】
0004047059.tif 000006
【図６】
0004047059.tif 000007
【図７】
0004047059.tif 000008
【図８】
0004047059.tif 000009